(57)【要約】【課題】組立が容易にもかかわらず保持構成が強固である装飾部材を備えた洗濯機を提供する。【解決手段】本開示における洗濯機は、洗濯機本体１および上部枠体２２と、洗濯機本体１に弾性支持された外槽３と、外槽３に回転自在に内包された洗濯兼脱水槽４と、上部枠体２２の上面に配設され、各種機能の選択を入力するとともに選択結果や進行状況などを表示する操作表示部３０と、操作表示部３０の側方に配置され、操作表示部３０に挿入されて装着される装飾部材６０とを備える。また、装飾部材６０又は操作表示部３０には、挿入方向に形成されたリブ３３が設けられ、他方には、リブ３３を案内するように形成されたガイド部６４が設けられ、装飾部材６０が操作表示部３０に装着された状態で、装飾部材６０が操作表示部３０に仮固定される。これにより、組立が容易にもかかわらず保持構成が強固である装飾部材を備えた洗濯機を提供できる。【選択図】図２
2020192109.tif 000002
【特許請求の範囲】
【請求項１】
筐体と、前記筐体の上面に配設され、各種機能の選択を入力するとともに選択結果や進行状況などを表示する操作表示部と、前記操作表示部の側方に配置され、前記操作表示部に挿入されて装着される装飾部材とを備え、
前記装飾部材又は前記操作表示部には、挿入方向に形成されたリブが設けられ、他方には、前記リブを案内するように形成されたガイド部が設けられ、
前記装飾部材が前記操作表示部に装着された状態で、前記装飾部材が前記操作表示部に仮固定される洗濯機。
【請求項２】
前記挿入方向は、前記筐体の上面に配設された状態の前記操作表示部に対して鉛直方向である請求項１に記載の洗濯機。
【請求項３】
前記装飾部材は、前記リブ又は前記ガイド部と異なる位置に、前記装飾部材を前記操作表示部に仮固定する係止部を有する、請求項１又は２に記載の洗濯機。
【請求項４】
前記筐体には、前記筐体の上面に前記操作表示部が配設された状態において前記装飾部材の下方となる位置に、上方に延伸する突起リブが形成されている、請求項１〜３のいずれか一項に記載の洗濯機。
【請求項５】
前記操作表示部は、装前記装飾部材が装着されて仮固定されている状態で、前記筐体に対してビス止めされる、請求項１〜４のいずれか一項に記載の洗濯機。
【発明の詳細な説明】
【技術分野】
【０００１】
本発明は、装飾用部品を備えた洗濯機に関する。
【背景技術】
【０００２】
特許文献１は、筐体の上面に操作表示部が設けられた洗濯機を開示する。
【０００３】
特許文献１における洗濯機の筐体は、洗濯機本体と、洗濯機本体の上部に載置されたトップカバーと、により構成される。また、特許文献１における洗濯機は、トップカバーの略中央部に形成された衣類投入口を開閉自在に覆う蓋体と、トップカバーの蓋体の後方にあたる位置に配設され、各種の入力設定を行ない、設定内容を表示する操作表示部と、を備えている。
【先行技術文献】
【特許文献】
【０００４】
【特許文献１】特開２０１８−３８４６７号公報
【発明の概要】
【発明が解決しようとする課題】
【０００５】
前記従来の構成では、操作表示部の側面部分はトップカバーの一部で覆われているため、機種展開に応じて色や素材を変更することが難しいという課題があった。
【０００６】
操作表示部の側面部分に、別部品として装飾部材を設けた場合、操作表示部とトップカバーとの間で装飾部材を挟み込む必要があり、組立性が低下するという課題があった。
【０００７】
本開示は、組立が容易にもかかわらず保持構成が強固である装飾部材を備えた洗濯機を提供する。
【課題を解決するための手段】
【０００８】
本開示における洗濯機は、筐体と、前記筐体の上面に配設され、各種機能の選択を入力するとともに選択結果や進行状況などを表示する操作表示部と、前記操作表示部の側方に配置され、前記操作表示部に挿入されて装着される装飾部材とを備える。また、前記装飾部材又は前記操作表示部には、挿入方向に形成されたリブが設けられ、他方には、前記リブを案内するように形成されたガイド部が設けられ、前記装飾部材が前記操作表示部に装着された状態で、前記装飾部材が前記操作表示部に仮固定される。
【発明の効果】
【０００９】
本開示における洗濯機は、装飾部材において、組立が容易にもかかわらず保持構成を強固にすることができる。
【図面の簡単な説明】
【００１０】
【図１】実施の形態１における洗濯機の縦断面図
【図２】同洗濯機上部の外観斜視図
【図３】同洗濯機の操作表示部の裏面図
【図４】同洗濯機の図１における操作表示部の端部のＡ−Ａ断面図
【図５】同洗濯機の操作表示部の図３および図４におけるＢ−Ｂ断面図
【図６】同洗濯機の操作表示部の図３および図４におけるＣ−Ｃ断面図
【図７】同洗濯機上部の図３および図４におけるＣ−Ｃ断面図
【発明を実施するための形態】
【００１１】
以下、発明の実施の形態について、図面を参照しながら説明する。なお、この実施の形態によって本発明が限定されるものではない。
【００１２】
（実施の形態１）
図１は、本発明の実施の形態における洗濯機の縦断面図、図２は、同洗濯機上部の外観斜視図である。
【００１３】
図１において、洗濯機本体１は、枠台１６を下部に配設し、上部に上部枠体２２を配設している。洗濯機本体１内部には、複数のサスペンション（図示せず）によって弾性的に外槽３を吊り下げて配設し、脱水時の外槽３の振動をサスペンションによって吸収する構成としている。
【００１４】
洗濯兼脱水槽４の上部には、洗濯物の偏在によるアンバランス状態を補正する振動低減用の流体バランサー７が配設されている。
【００１５】
外槽３は、上面を外槽カバー１３で覆い、外槽３の内部には、衣類を収容する洗濯兼脱水槽４を回転自在に配設している。洗濯兼脱水槽４は、中空で２重構造とした洗濯・脱水軸５を中心に回転可能となっており、洗濯兼脱水槽４の内部周壁には通気孔４ａを多数設けている。また、洗濯兼脱水槽４の内底部には、衣類を攪拌するパルセータ６を回転自在に配設している。
【００１６】
外槽３の外底部には、モータ（駆動手段）８を取り付けており、モータ８の回転力は、モータ８とクラッチ９を帯状のベルト２７で接続したモータープーリー２６にて伝達され、クラッチ９により洗濯・脱水軸５を介して、洗濯兼脱水槽４とパルセータ６に選択的に伝達される。
【００１７】
洗濯兼脱水槽４内側壁には、フィルター１２が着脱自在に装着されたフィルター固定枠１４が固定されており、フィルター１２は、洗濯運転中に洗濯衣類から発生するリントを、洗濯水を通じて回収する。
【００１８】
上部枠体２２の後部内方には、二つ以上の水路が開閉可能な複数弁構成の給水弁１７が配設されており、給水弁１７は、上部枠体２２の内部に設けた給水部材２１から給水用ホース（図示せず）を介して洗剤収納部１８内の洗剤溶解部２０に給水し、洗剤溶解部２０等を介して洗濯兼脱水槽４に洗濯水として給水される。外槽３の下部には、排水ホース１５が接続され、洗濯、脱水後の水を外部へ排水する。
【００１９】
上部枠体２２には、洗濯兼脱水槽４内に洗濯物を出し入れするための開口部２４が形成されており、開口部２４を開閉自在に覆う外蓋２３が設けられている。また、外蓋２３には取っ手部２５が設けられており、使用者は取っ手部２５を掴んで上方に持ち上げることにより外蓋２３を開放状態にできる。
【００２０】
操作表示部３０は、上部枠体２２の上面後部に設けられている。図２において、操作表示部３０は、運転コース等のモードや各種機能の選択を行なう入力部２８と、選択結果や進行状況などを表示する表示部２９と、左右端部に設けられた一対の装飾部材６０と、を備えている。また、操作表示部３０は、後部にビス止め用の穴（図示せず）が設けられており、ビス５９により上部枠体２２に固定されている。
【００２１】
図３は、実施の形態１における洗濯機の操作表示部の裏面図、図４は、同洗濯機の図１
における操作表示部の端部のＡ−Ａ断面図、図５は、同洗濯機の操作表示部の図３および図４におけるＢ−Ｂ断面図、図６は、同洗濯機の操作表示部の図３および図４におけるＣ−Ｃ断面図、図７は、同洗濯機上部の図３および図４におけるＣ−Ｃ断面図である。
【００２２】
なお、図４〜７は、操作表示部３０の片側端部周辺のみ図示しているが、他方も同様の構成となっている。
【００２３】
図３および図４において、操作表示部３０の裏面側の左右端部には、装飾部材６０の取り付け動作を案内するとともに装飾部材６０を支持する操作表示部ガイド構造３１と、装飾部材６０を係止する操作表示部係合凹部３５と、がそれぞれ設けられている。また、装飾部材６０には、操作表示部ガイド構造３１の対応位置に装飾部材ガイド構造６１と、操作表示部係合凹部３５の対応位置に装飾部材係合凸部６５と、がそれぞれ設けられている。操作表示部ガイド構造３１および装飾部材ガイド構造６１は、左右それぞれの端部において、操作表示部係合凹部３５および装飾部材係合凸部６５を挟むように前後それぞれ二箇所ずつ配置されている。
【００２４】
以下、図４〜図６を用いて、操作表示部ガイド構造３１および装飾部材ガイド構造６１と、操作表示部係合凹部３５および装飾部材係合凸部６５の詳細構造について説明する。
【００２５】
図４において、操作表示部ガイド構造３１および装飾部材ガイド構造６１（Ｘ部）については、Ｘ部拡大図を用いて説明する。
【００２６】
図４および図５において、操作表示部３０の端部には、操作表示部ガイド構造３１が設けられており、装飾部材６０には、装飾部材外壁６０ａの内側の装飾部材内壁６２で、操作表示部ガイド構造３１の対応位置に、装飾部材ガイド構造６１が設けられている。
【００２７】
操作表示部３０の端部には、操作表示部サイド壁３２を設けている。操作表示部ガイド構造３１は、操作表示部サイド壁３２が一部内方へ凹形状となる操作表示部サイド内方連結壁３３ａと操作表示部サイド内方凹壁３２ａとを有している。操作表示部サイド内方連結壁３３ａの根元部には、操作表示部サイド内方凹壁３２ａと略平行となる操作表示部ガイドリブ３３が設けられている。そして、操作表示部サイド内方凹壁３２ａと操作表示部サイド内方連結壁３３ａと操作表示部ガイドリブ３３とにより、前方向に凹形状となり、下方が開口した操作表示部ガイド凹部３４を形成している。
【００２８】
一方、装飾部材ガイド構造６１は、操作表示部サイド壁３２と近接する装飾部材内壁６２と、装飾部材内壁６２から操作表示部サイド内方凹壁３２ａへ装飾部材ガイド連結リブ６３ａが延設され、その先端部に装飾部材ガイドリブ６３が形成されている。そして、装飾部材内壁６２と装飾部材ガイド連結リブ６３ａと装飾部材ガイドリブ６３とにより、後ろ方向に凹形状となり、上方が開口した装飾部材ガイド凹部６４を形成している。
【００２９】
以上の構成において、装飾部材ガイドリブ６３が、下方から操作表示部ガイド凹部３４に入り込むことにより、前後左右上下の位置決めを行っている。また、操作表示部ガイドリブ３３が、上方より装飾部材ガイド凹部６４に入り込んでいる。装飾部材ガイド凹部６４には、装飾部材内壁６２から突出する装飾部材内壁凸部６２ａを設けており、装飾部材ガイドリブ６３と装飾部材内壁凸部６２ａとにより、装飾部材ガイドリブ６３を挟み込んでいる。
【００３０】
なお、図４に示すように、操作表示部ガイド構造３１と装飾部材ガイド構造６１の挟み込み構造は、凸形状および凹形状を前後対象形状としたものをもう一組（操作表示部ガイド構造３１’と装飾部材ガイド構造６１’）設けることで、前後方向の位置決めも兼ねる
構成としている。
【００３１】
図６において、操作表示部３０の操作表示部サイド壁３２の装飾部材内壁６２側の側面には、操作表示部係合凹部３５が形成されている。一方、装飾部材６０の装飾部材外壁６０ａと反対側である装飾部材内壁６２の下部には、装飾部材係合凸部６５が設けられている。装飾部材係合凸部６５は、操作表示部係合凹部３５に係合し、その係合状態において、装飾部材係合凸部６５の下端である装飾部材係合凸部下端６５ａが、操作表示部係合凹部３５の下端である操作表示部係合凹部下端３５ａに係って止められている。
【００３２】
図７において、上部枠体２２の端部近傍には、上方に延伸する突起リブ２２ａが形成されている。また、装飾部材６０は、装飾部材外壁６０ａと装飾部材内壁６２の間には、下方が開口する装飾部材下部空間６６が形成されている。装飾部材６０が操作表示部３０に取り付けられた装着状態において、操作表示部３０を上部枠体２２に取り付けると、突起リブ２２ａは、装飾部材下部空間６６の内部に配置され、装飾部材外壁６０ａの内面に接触しない程度に近接して高く延伸している。
【００３３】
なお、操作表示部ガイド構造３１と装飾部材ガイド構造６１および操作表示部ガイド構造３１’と装飾部材ガイド構造６１’の嵌合部は、装飾部材係合凸部６５と操作表示部係合凹部３５との係止部を前後方向に挟む位置に二箇所配置されている。
【００３４】
以上の構成について、以下、取り付け動作を説明する。
【００３５】
装飾部材６０は、操作表示部３０の下方から取り付けられる。まず、操作表示部サイド内方凹壁３２ａと操作表示部ガイドリブ３３の間の操作表示部ガイド凹部３４に装飾部材ガイドリブ６３を挿入するとともに、装飾部材内壁６２の装飾部材内壁凸部６２ａと装飾部材ガイドリブ６３の間の装飾部材ガイド凹部６４に操作表示部サイド壁３２を挿入することで、操作表示部ガイド構造３１と装飾部材ガイド構造６１とが嵌合される。操作表示部ガイド構造３１と装飾部材ガイド構造６１とは、それぞれの挿入が案内されるため、取り付け動作における位置決めの役割も有している。
【００３６】
操作表示部ガイド構造３１と装飾部材ガイド構造６１の挿入段階において、装飾部材内壁６２の下部の装飾部材係合凸部６５が、操作表示部サイド壁３２に乗り上げた後、装飾部材係合凸部６５が操作表示部係合凹部３５に入り込み、装飾部材係合凸部６５と操作表示部係合凹部３５が係合する。装飾部材係合凸部６５と操作表示部係合凹部３５との係合により、装飾部材６０は操作表示部３０に対して仮固定される。従って、手を離した状態でも、装飾部材６０は操作表示部３０から落下しない。装飾部材係合凸部６５の下端である装飾部材係合凸部下端６５ａと操作表示部係合凹部３５の下端である操作表示部係合凹部下端３５ａとが、当接することで、操作表示部３０に対する装飾部材６０の取付位置を制限している。そして、操作表示部３０の左右端部は装飾部材６０により覆われる。
【００３７】
装飾部材６０を装着して仮固定状態とした後、操作表示部３０は、上部枠体２２の上面に対してビス５９により固定される。これにより、操作表示部ガイド構造３１の操作表示部ガイド凹部３４は、上から装飾部材ガイド構造６１の装飾部材ガイドリブ６３を押さえつけるようになるため、装飾部材ガイドリブ６３を強く挟持する。更に、操作表示部ガイド構造３１と装飾部材ガイド構造６１および操作表示部ガイド構造３１’と装飾部材ガイド構造６１’のの嵌合部は、装飾部材係合凸部６５と操作表示部係合凹部３５との係止部を前後方向に挟む位置に二箇所配置されているため、外力により装飾部材係合凸部６５が一時的に変形した場合でも装着状態を保持できる。なお、操作表示部３０を上部枠体２２に固定する時、装飾部材６０の外に露出する装飾部材外壁６０ａは、上部枠体２２と当接するように構成されている。仮に、装飾部材６０と上部枠体２２との間に隙間が発生した
としても、装飾部材下部空間６６の内部には突起リブ２２ａが設けられているため、外部からは突起リブ２２ａしか視認できないので、内部の操作表示部ガイド構造３１と装飾部材ガイド構造６１および装飾部材係合凸部６５と操作表示部係合凹部３５との係止部等を隠すことができる。
【００３８】
以上の通り、実施の形態１における洗濯機は、洗濯機は、洗濯機本体１および上部枠体２２と、上部枠体２２の上面に配設され、各種機能の選択を入力するとともに選択結果や進行状況などを表示する操作表示部３０と、操作表示部３０の側方に配置され、操作表示部３０に挿入されて装着される装飾部材６０とを備える。また、操作表示部３０には、挿入方向に形成された操作表示部ガイド構造３１が設けられ、装飾部材６０には、操作表示部ガイド構造３１と嵌合する装飾部材ガイド構造６１が設けられ、装飾部材６０が操作表示部３０に装着された状態で、装飾部材６０が操作表示部３０に仮固定されるようにしてもよい。
【００３９】
これにより、装飾部材６０は操作表示部ガイド構造３１と装飾部材ガイド構造６１とが嵌合するだけで、簡単に装飾部材６０を上部枠体２２に取り付けることができる。さらに、操作表示部３０に対して仮固定されているため、手で保持しなくても操作表示部３０から落下しない。
【００４０】
そのため、操作表示部３０を上部枠体２２に取り付ける際の組立性を向上させることができる。
【００４１】
また、実施の形態１のように、挿入方向は、上部枠体２２の上面に配設された状態の操作表示部３０に対して鉛直方向であるようにしてもよい。
【００４２】
これにより、装飾部材６０は、操作表示部３０と上部枠体２２との間で挟持されるため、完成製品からは装飾部材６０が容易に外れないようになっている。
【００４３】
また、実施の形態１のように、装飾部材６０は、装飾部材ガイド構造６１と異なる位置に、装飾部材６０を操作表示部３０に仮固定する際に、操作表示部３０に設けた操作表示部係合凹部３５に係合する装飾部材係合凸部６５を有するようにしてもよい。
【００４４】
これにより、装飾部材６０は、操作表示部３０に対して仮固定するとともに、操作表示部ガイド構造３１と装飾部材ガイド構造６１は位置決めの効果を奏する。
【００４５】
また、実施の形態１のように、上部枠体２２には、上部枠体２２の上面に操作表示部３０が配設された状態において装飾部材６０の下方となる位置に、上方に延伸する突起リブ２２ａが形成されているようにしてもよい。
【００４６】
これにより、操作表示部３０に反りが生じて上部枠体２２から浮き上がった場合でも、装飾部材６０と上部枠体２２との間から操作表示部３０の内部が視認されることを防止できる。
【００４７】
また、実施の形態１のように操作表示部３０は、操作表示部３０が装着されて仮固定されている状態で、上部枠体２２の上面に対してビス止めされているようにしてもよい。
【００４８】
これにより、装飾部材６０は、操作表示部３０と上部枠体２２との間で強固に保持されるため、完成製品からは装飾部材６０が容易に外れないようになっている。
【００４９】
（他の実施の形態）
以上のように、本出願において開示する技術の例示として、実施の形態１を説明した。しかしながら、本開示における技術は、これに限定されない。
【００５０】
そこで、以下、他の実施の形態を例示する。
【００５１】
実施の形態１では、洗濯機の一例として縦型洗濯機を説明した。洗濯機は、装飾部材を備えたものであればよい。したがって、洗濯機は、縦型洗濯機に限定されず、ドラム式洗濯機や二槽式洗濯機であってもよい。
【００５２】
実施の形態１では、ガイド部の構成の一例として、装飾部材６０に装飾部材ガイドリブ６３が形成され、操作表示部３０に操作表示部ガイド凹部３４が形成される構成を説明した。ガイド部の構成は、装飾部材６０にガイド凹部が形成され、操作表示部３０にガイドリブが形成される構成でもよい。
【００５３】
実施の形態１では、仮固定の手段の一例として、装飾部材６０に装飾部材係合凸部６５が形成され、操作表示部３０に操作表示部係合凹部３５が形成される構成を説明した。仮固定の手段は、装飾部材６０に係合凹部が形成され、操作表示部３０に係合凸部が形成される構成でもよい。
【産業上の利用可能性】
【００５４】
本開示は、装飾部材を備えた洗濯機に適用可能である。具体的には、縦型洗濯機、ドラム式洗濯機、二槽式洗濯機などに、本開示は適用可能である。
【符号の説明】
【００５５】
１  洗濯機本体（筐体）
３  外槽
４  洗濯兼脱水槽
２２  上部枠体（筐体）
２２ａ  突起リブ
２８  入力部
２９  表示部
３０  操作表示部
３１  操作表示部ガイド構造
３２  操作表示部サイド壁
３２ａ  操作表示部サイド内方凹壁
３３  操作表示部ガイドリブ（リブ）
３３ａ  操作表示部サイド内方連結壁
３４  操作表示部ガイド凹部
３５  操作表示部係合凹部（係止部）
３５ａ  操作表示部係合凹部下端
５９  ビス
６０  装飾部材
６０ａ  装飾部材外壁
６１  装飾部材ガイド構造
６２  装飾部材内壁
６２ａ  装飾部材内壁凸部
６３  装飾部材ガイドリブ
６３ａ  装飾部材ガイド連結リブ
６４  装飾部材ガイド凹部（ガイド部）
６５  装飾部材係合凸部（係止部）
６５ａ  装飾部材係合凸部下端
６６  装飾部材下部空間
【図１】
2020192109.tif 000003
【図２】
2020192109.tif 000004
【図３】
2020192109.tif 000005
【図４】
2020192109.tif 000006
【図５】
2020192109.tif 000007
【図６】
2020192109.tif 000008
【図７】
2020192109.tif 000009